(57)【特許請求の範囲】
【請求項１】
記録媒体に転写することにより画像を記録するインクが塗布されたインクシートを供給するインクシート供給ボビンと、該インクシート供給ボビンから供給されるインクシートを巻き取るインクシート巻取りボビンと、前記インクシート供給ボビンからのインクシートの供給の開始及び停止を制御する手段とを含むインクシート搬送装置において、前記制御手段を、
前記インクシート供給ボビンに歯合し、該インクシート供給ボビンと同期して回転する回転体と、
前記回転体に係合したときに該回転体をロックする第１の部材と、
前記第１の部材を前記回転体と係合する第１の位置に付勢する付勢手段と、
前記第１の部材に当接したときに前記付勢手段の付勢力に抗して前記第１の部材を前記回転体と係合しない第２の位置に駆動するカム手段と、
前記付勢手段の付勢力に抗して前記第１の部材を該第２の位置に保持する保持手段と
から構成したことを特徴とするインクシート搬送装置。
【請求項２】
前記保持手段は電磁ソレノイド式アクチュエータからなることを特徴とする請求項１に記載のインクシート搬送装置。
【請求項３】
前記保持手段は、固定軸に軸支され一方向には負荷が与えられると回転を停止し、反対方向には負荷に抗して回転を持続できるように構成された羽根車と、該羽根車を前記一方向及び反対方向に回転駆動する駆動手段と、前記第１の部材に連結され、前記第１の部材が前記第２の位置にあるときには前記駆動手段により一方向に回転駆動される羽根車と固定部材とに係合して保持され、前記羽根車が前記駆動手段により前記反対方向に回転すると前記羽根車に駆動され前記固定部材及び該羽根車との係合が外れるように構成された第２の部材とを含むことを特徴とする請求項１に記載のインクシート搬送装置。
【請求項４】
前記羽根車を回転駆動する手段は前記カム手段を回転駆動することを特徴とする請求項３に記載のインクシート搬送装置。
【請求項５】
請求項１から４のいずれか一項に記載のインクシート搬送装置を備えることを特徴とする画像記録装置。
【発明の詳細な説明】
【０００１】
【発明の属する技術分野】
本発明は、インクシートから記録紙にインクを転写することにより画像を記録する画像記録装置、例えば記録紙にインクを熱転写するサーマルプリンタを有するファクシミリやプリンタ等に使用されるインクシート搬送装置に関する。
【０００２】
【従来の技術】
インクシートを用いるファクシミリやプリンタでは、インクシートが捲回された供給ボビンからインクシート供給され、例えばサーマルヘッドによりインクシートから記録紙にインクが転写され、その後インクシートは巻取りボビンに巻き取られる。このとき、インクシートにたるみがあるとジャムや印字品質の低下を招くので、一定の張力でインクシートを供給するようにするとともに、たるみがあるときは巻取りボビンを回転させ、たるみを除くようにしている。しかし、巻取りボビンを回転させたとき、供給ボビンも連動して回転し、インクシートが無駄に繰り出される場合がある。
【０００３】
その対策として、供給ボビンの回転をロックする機構を設け、インクシートのたるみを取るため、巻取りボビンを回転させるときには該機構により供給ボビンの回転を禁止することが知られている（例えば特許文献１参照）。
【０００４】
【特許文献１】
特開平５−２７８２８５号公報（第４−６頁、第１図）
【０００５】
【発明が解決しようとする課題】
しかしながら特許文献１に記載の供給ボビンの回転を禁止する機構は、供給ボビンと同軸のラチェット、該ラチェットと係合するレバー、該レバーを駆動する電磁ソレノイド式アクチュエータ（以下、ソレノイドという）から構成されるが、ソレノイドは、ラチェットに係合する方向にレバーを付勢するばねの力に打ち勝つ力を発生する必要があるので、比較的大型のものを用いる必要があり、コスト高になる。該文献にはソレノイド及びレバーに代えて電磁ブレーキを使用する構成も記載されているが、この場合にはコストが更に上昇する。
【０００６】
本発明は上記問題に鑑みなされたものであり、従来に比べ小型のソレノイドを使用することが可能であり、また、インクシートの供給を瞬時に停止できるインクシート搬送装置を低コストで提供することを目的とする。
【０００７】
【課題を解決するための手段】
上記目的を達成すべく、本発明は、記録媒体に転写することにより画像を記録するインクが塗布されたインクシートを供給するインクシート供給ボビンと、該インクシート供給ボビンから供給されるインクシートを巻き取るインクシート巻取りボビンと、前記インクシート供給ボビンからのインクシートの供給の開始及び停止を制御する手段とを含むインクシート搬送装置において、前記制御手段を、
前記インクシート供給ボビンに歯合し、該インクシート供給ボビンと同期して回転する回転体と、
前記回転体に係合したときに該回転体をロックする第１の部材と、
前記第１の部材を前記回転体と係合する第１の位置に付勢する付勢手段と、
前記第１の部材に当接したときに前記付勢手段の付勢力に抗して前記第１の部材を前記回転体と係合しない第２の位置に駆動するカム手段と、
前記付勢手段の付勢力に抗して前記第１の部材を該第２の位置に保持する保持手段と
から構成したことを特徴とする。
【０００８】
【発明の実施の形態】
実施の形態１．
図１に本発明の実施の形態１に係るインクシート搬送装置の要部構成を示す。このインクシート搬送装置は、インクシート供給ボビン１、インクシート供給ボビン１に歯合するリール歯車２、リール歯車２と同軸に配置され回転可能なトルクリミタ７、歯付回転体８、及びトルクリミタ１２を含む。トルクリミタ７はリール歯車２と歯付回転体８とを連結している。トルクリミタ１２の一端はメインフレームに固定され、他端は歯付回転体８に連結されている。トルクリミタ７の作動トルクＡはトルクリミタ１２の作動トルクＢより大きい。
【０００９】
このインクシート搬送装置はまた、リール歯車２のラチェット部に係合する方向に付勢され、且つ電磁ソレノイド式アクチュエータ（以下、ソレノイドという）に駆動されるロックレバー３と、歯付回転体８のラチェット部に係合する方向に付勢される第２のロックレバー９とを含む。ロックレバー３がリール歯車２のラチェット部に係合するとリール歯車２はロックされ、また、ロックレバー９が歯付回転体８のラチェット部に係合すると歯付回転体８はロックされる。
【００１０】
図２に上記インクシート搬送装置のロックレバー３付近の構成をより詳細に示す。同図に示すように、ロックレバー３は軸２１の周りに回動可能であり、ばね５によりリール歯車２のラチェット部と係合する方向に付勢されている。また、軸２２を中心として回転可能な第１のカム６が設けられ、カム６の凸部がロックレバー３と当接する位置に回転させることにより、ばね５の力に抗してロックレバー３をリール歯車２のラチェット部との係合位置から引き外すことができる。
【００１１】
カム６が回転し、ロックレバー３がリール歯車２から離れた位置に駆動されるとロックレバー３はソレノイド４でその位置に保持される。従ってその後、カム６がロックレバー３とリール歯車２のラチェット部とが係合する位置（即ち、カム６の凹部がロックレバー３と対向する位置）に来てもロックレバー３をリール歯車２のラチェット部との係合が外れた状態に維持することができる。
【００１２】
図３に上記インクシート搬送装置のロックレバー９付近の構成をより詳細に示す。同図に示すように、ロックレバー９は軸３１の周りに回動可能であり、ばね１０により歯付回転体８のラチェット部と係合する方向に付勢されている。また、軸３２を中心として回転可能なカム１１が設けられ、カム１１の凸部がロックレバー９と当接する位置に回転させることにより、ばね１０の力に抗してロックレバー９を歯付回転体８のラチェット部との係合位置から引き外すことができる。
【００１３】
次に上記構成を有するインクシート搬送装置の動作を説明する。尚、インクシート搬送装置の動作モードは、第１モード、第２モード、及び停止モードの３つである。第１モードは印画中の記録紙と同じ速度でインクシートを供給ボビンから供給し、巻取りボビンで巻き取るモードであり、第２モードは印画の開始に備えるため、インクシートを高速度で供給ボビンから繰り出し、その分だけ巻取りボビンで巻き取るモードである。第１及び第２モードのそれぞれにおいて、インクシートに張力を与えて送りを安定させるため、巻取りボビン及び供給ボビンをそれぞれ一定のトルクで回転させる。停止モードは、例えばインクシートのたるみを取るため、供給ボビンをロックし、巻取りボビンのみを回転させるモードである。
【００１４】
第１モードでは、カム６及びカム１１の回転制御により、ロックレバー９を歯付回転体８のラチェット部と係合する位置に置き、一方、ロックレバー３はリール歯車２のラチェット部と係合しない位置に置く。このときインクシート供給ボビン１はトルクリミタ７の作動トルクＡに等しいトルクで回転する。
【００１５】
第２モードでは、ロックレバー３及び９の両方をラチェット部と係合しない位置に置く。トルクリミタ７の作動トルクＡはトルクリミタ１２の作動トルクＢより大きいので、このときインクシート供給ボビン１はトルクリミタ１２の作動トルクＢに等しいトルクで回転する。
【００１６】
停止モードでは、ロックレバー３をリール歯車２のラチェット部と係合する位置に置く。このときリール歯車２はロックされ、従ってインクシート供給ボビンは回転できず、インクシートの供給は停止される。
【００１７】
上記第２モードにおいて、カム６の凸部をロックレバー３に当接させ、ロックレバー３をリール歯車２から離れた位置に駆動した後には、ソレノイド４を作動させ、ロックレバー３をその位置に保持し、その状態でカム６の凹部がロックレバー３に対向する位置に来るようにカム６を回転させておく。このようにすることにより、第２モードの終了時、カム６を回転させること無く、ソレノイド４への通電を遮断するだけで、ロックレバー３がリール歯車２のラチェット部に係合し、リール歯車２がロックされ、瞬時にインクシートの供給が停止される。
【００１８】
本発明の実施の形態１のインクシート搬送装置は以上説明したように構成されているので、インクシート頭出し等のインクシート送り動作からインクシート供給動作停止までの時間が短く、印画時間の短縮を図ることができ、また、インクシートの停止距離が短くなるため、インクシートの使用効率を向上させることができる。また、本実施の形態１では、ロックレバーを保持する手段としてソレノイドを使用するので、簡単な構成で上記の効果を実現することができる。さらに、このソレノイドはばねの力に抗してロックレバーをリール歯車との係合位置から引き外すために使用するのでなく、カムにより係合位置から引き外されたロックレバーをその位置に保持するだけでよいので小型で安価なもので済む。
【００１９】
実施の形態２．
次に本発明の実施の形態２に係るインクシート搬送装置を説明する。実施の形態２は図４に示すように、ロックレバーを保持する手段としてソレノイドに代えて図５に示すような形状を有する羽根車１４、レバーホルダー１５等からなる保持機構を用いる点で実施の形態１と異なる。
【００２０】
固定軸４１に遊嵌されたレバーホルダー１５は、一端がロックレバー３に固定され他端がレバーホルダー１５に固定されたばね１６により、図において反時計回りの回転方向に付勢されている。
【００２１】
羽根車１４は、カム６を駆動する不図示のモータの軸に連結されたシャフトに捲回されたねじりばね１７を介して回転駆動されるように構成されているので、ねじりばね１７が締まる方向には負荷に抗して回転可能であるが（以下、逆転方向という）、ねじりばねが緩む方向には負荷に抗せず空転する（以下正転方向という）。尚、このモータは不図示の減速機構を介してカム６を回転させるため、羽根車１４はカム６よりも高速に回転する。
【００２２】
ロックレバー３をリール歯車２との係合位置から引き外す場合には、カム６の凸部がロックレバー３に当接するようにカム６を回転させる。それによりロックレバー３が軸２１の周りに回転し、レバーホルダー１５は正転方向に回転している羽根車１４の羽根の間に入り込み負荷を与える。従ってモータが回転し続けるにも拘わらず羽根車１４は回転を停止する。
【００２３】
その後、カム６がその凹部がロックレバー３に対向する位置に来たときには、ロックレバー３はばね５により凹部内に入りこむ方向（即ち、リール歯車のラチェット部と係合する方向）に付勢されるが、このときレバーホルダー１５の下端がメインフレームの係止面１８に当接し、係止されているので、ロックレバー３はリール歯車２と係合しない位置に維持される。
【００２４】
また、本実施の形態２において、上述した第２モードから停止モードに移行するときにはモータを逆転させる。それにより羽根車は負荷に抗して回転し、レバーホルダー１５は羽根車１４の羽根に押されて矢印Ｅの方向に回転する。その結果ロックレバー１５の下端がフレームの係止面１８から外れ、ロックレバー３はばね５の力により瞬時に回転し、瞬時にリール歯車２と係合し、インクシートの供給が停止する。
【００２５】
本発明の実施の形態２のインクシート搬送装置は以上説明したように構成されているので、実施の形態１と同様、インクシート頭出し等のインクシート送り動作からインクシート供給動作停止までの時間が短く、印画時間の短縮を図ることができ、また、インクシートの停止距離が短くなるため、インクシートの使用効率を向上させることができる。本実施の形態２では更に、ロックレバー３の保持機構を構成する羽根車をカム駆動用モータで回転駆動するようにしたので上記効果を有するインクシート搬送装置を低コストで実現することができる。
【００２６】
【発明の効果】
本発明によれば、インクシート供給ボビンと、該インクシート供給ボビンから供給されるインクシートを巻き取るインクシート巻取りボビンと、前記インクシート供給ボビンからのインクシートの供給の開始及び停止を制御する手段とを含み、インクシートの供給を瞬時に停止できるインクシート搬送装置を低コストで提供することができる。
【図面の簡単な説明】
【図１】  本発明の実施の形態１に係るインクシート搬送装置の構成図である。
【図２】  図１の装置のリール歯車及びそのロックレバー付近の構成を示す図である。
【図３】  図１の装置の歯付回転体及びそのロックレバー付近の構成を示す図である。
【図４】  本発明の実施の形態２に係るインクシート搬送装置のリール歯車及びそのロックレバー付近の構成を示す図である。
【図５】  図４の装置においてロックレバーを保持する手段として使用される羽根車の形状を示す図である。
【符号の説明】
１  インクシート供給ボビン、  ２  リール歯車、  ３  ロックレバー、  ４ソレノイド、  ７  トルクリミタ、  ８  歯付回転体、  ９  ロックレバー、１２  トルクリミタ、  １３  メインフレーム。
【図１】
0003712388.tif 000002
【図２】
0003712388.tif 000003
【図３】
0003712388.tif 000004
【図４】
0003712388.tif 000005
【図５】
0003712388.tif 000006